(57)【特許請求の範囲】
【請求項１】
直線偏光した投射光を照射するプロジェクターと、
前記プロジェクターからの直線偏光を反射し、その直線偏光と異なる特定方向の直線偏光を吸収する偏光スクリーンと、
前記偏光スクリーンに吸収される特定方向の直線偏光を放射する直線偏光照明装置とを備え、
前記直線偏光照明装置は、ランプと、このランプに対向する面に１／４λ板が設置されたランプリフレクターと、ランプを覆うランプカバーと、このランプカバーの外側に設けられ前記偏光スクリーンに吸収される特定方向の直線偏光のみを透過させる反射偏光板とを備えたことを特徴とするプロジェクションシステム。
【発明の詳細な説明】
【０００１】
【発明の属する技術分野】
この発明は、プロジェクターからの投影映像をスクリーンに写すようにしたプロジェクションシステムに関する。
【０００２】
【従来の技術】
この種のプロジェクションシステムとして、光源の発する光を偏光変換素子で特定方向の直線偏光に変換し、その直線偏光を反射型液晶表示素子により画像信号に応じて偏向面の回転制御を行った反射光として出射し、出射した反射光を投射レンズで拡大投射し、偏光スクリーン上で可視化するようにした装置が知られている。
【０００３】
例えば、特開平９−１６６７６７号公報に開示の如くである。
【０００４】
【発明が解決しようとする課題】
しかしながら、このようなプロジェクションシステムの使用に際して、部屋の照明を明るくした場合、偏光スクリーンが照明によって照らされるため、黒表示部の輝度があがり、スクリーンのコントラストが低下するという問題点があった。
【０００５】
この発明は、このような課題を解消し、室内照明を明るくしてもスクリーンのコントラストを高く保つことができるプロジェクションシステムを提供することを目的とする。
【０００６】
【課題を解決するための手段】
請求項１に記載の発明に係るプロジェクションシステムは、直線偏光した投射光を照射するプロジェクターと、前記プロジェクターからの直線偏光を反射し、その直線偏光と異なる特定方向の直線偏光を吸収する偏光スクリーンと、前記偏光スクリーンに吸収される特定方向の直線偏光を放射する直線偏光照明装置とを備え、前記直線偏光照明装置は、ランプと、このランプに対向する面に１／４λ板が設置されたランプリフレクターと、ランプを覆うランプカバーと、このランプカバーの外側に設けられ前記偏光スクリーンに吸収される特定方向の直線偏光のみを透過させる反射偏光板とを備えたことを特徴とする。
【０００８】
【発明の実施の形態】
以下、この発明をその実施の形態を示す図面に基づいて具体的に説明する。
【０００９】
図１は、この発明の実施の形態によるプロジェクションシステムの概略斜視図を示しており、このプロジェクションシステムは、特定方向（Ｘ方向）に直線偏光した投射光を照射する偏光プロジェクター１と、視聴室等の部屋Ｒの中に設置され、前記偏光プロジェクター１からの直線偏光１４Ｘを反射し、その直線偏光１４Ｘと異なる特定方向（Ｙ方向）の直線偏光１４Ｙを吸収する偏光スクリーン２と、この偏光スクリーン２に吸収される特定方向（Ｙ方向）の直線偏光１４Ｙを放射して部屋Ｒの明るさを調節する直線偏光照明装置３とを備えている。
【００１０】
偏光プロジェクター１は、例えば図２に概略図で示すように、光源ランプ４と、この光源ランプ４の発する光を前記偏向スクリーン２で反射される特定方向（Ｘ方向）の直線偏光１４Ｘに調節する偏光反射板５と、この偏光反射板５による偏光を透過して画像信号に応じた映像の投影光を出射する透過型液晶表示パネル６と、この液晶表示パネル６からの偏光による映像を前記偏光スクリーン２に拡大投影させる投影レンズ７とを備えている。偏光反射板５としては、例えば、日東電工社製のＮＩＰＯＣＳや、３Ｍ社製のＤＢＥＦシート等を用いることができ、また多層膜を利用した偏光ビームスプリッターを用いてもよい。
【００１１】
直線偏光照明装置３は、図３（Ａ），（Ｂ）に縦断面図および横断面図で示すように、光源である蛍光管ランプ８と、この蛍光管ランプ８を保持するランプホルダー９と、蛍光管ランプ８の背後に位置した天井面側に配置されるランプリフレクター１０と、蛍光管ランプ８のその他の三方周囲を覆う透明樹脂からなるランプカバー１１とを備え、ランプカバー１１の外面には特定方向（Ｙ方向）の直線偏光のみを透過させる反射偏光板１２が貼り付けられている。さらに、ランプリフレクター１０の蛍光管ランプ８と対向する面には、１／４λ板１３が設置されている。前記反射偏光板１２としては、例えば、日東電工社のＮＩＰＯＣＳや、３Ｍ社のＤＢＥＦシート等を用いることができる。
【００１２】
次に、上記構成のプロジェクションシステムの動作を説明する。
【００１３】
偏光プロジェクター１では、光源ランプ４の発する光が偏光反射板５で特定方向（Ｘ方向）の直線偏光１４Ｘに調節され、その直線偏光１４Ｘは液晶表示パネル６で画素毎に階調制御され、投影レンズ７により偏光スクリーン２に投射結像される。この場合の投影光は、偏光反射板５により、偏光スクリーン２で吸収されない方向（Ｘ方向）の直線偏光１４Ｘに調節されているので、投影光は偏光スクリーン２で吸収されず、高いスクリーン輝度が得られる。
【００１４】
前記偏光反射板５は、これに替えて通常の吸収式の偏光板を用いてもよいが、偏光反射板５を用いることにより、光源ランプ４の発する光のうち偏光スクリーン２で吸収されてしまう方向の直線偏光成分を再び光源ランプ４側に反射させて再利用できるので、光源ランプ４から発する光を有効利用してスクリーン輝度を向上させることができる。
【００１５】
一方、直線偏光照明装置３では、蛍光管ランプ８から発してランプカバー１１を通過した光のうち、前記偏光プロジェクター１からの直線偏光１４Ｘと直交する特定方向（Ｙ方向）に直線偏光した光１４Ｙのみが反射偏光板１２を透過し、これと直交する直線偏光成分は反射偏光板１２で反射される。
【００１６】
反射偏光板１２を透過したＹ方向に直線偏光した光１４Ｙは、偏光スクリーン２に当たると吸収される光である。このため、直線偏光照明装置３を出た直線偏光された照明光１４Ｙは、部屋Ｒの壁や本などに当たって目に入る場合、通常の照明光と同様に室内を明るくするが、偏光スクリーン２に直接当たった場合は反射されることなくすべて吸収されるので、従来の如く、黒表示部の輝度があがるという黒浮現象が生じず、スクリーンのコントラストを悪化させることが無いため、高いコントラストが実現できる。
【００１７】
また、直線偏光照明装置３において、反射偏光板１２で反射された光は、１／４λ板１３を通過してランプリフレクター１０で反射され、あるいは蛍光管ランプ８に吸収再発光されてランプカバー１１を通過する際に、偏光が回転するので、Ｙ方向の直線偏光成分が生じ、これが反射偏光板１２を透過して放射される。このため、通常の吸収方式の偏光板を用いる場合に比べて、照明光の利用効率を高めることができる。
【００１８】
なお、実施の形態では、前記偏光プロジェクター１の表示パネルとして透過型液晶表示パネル６を用いた場合を示したが、これに限らず反射型液晶表示パネルを用いて、この表示パネルと光源ランプ４との間に偏光反射板５を介在させても、同様に偏光スクリーン２で反射されるＸ方向に直線偏光した投影光を出射することができる。
【００１９】
また、デジタルミラーデバイス（ＤＭＤ）を用いた反射型表示パネルとしても、この表示パネルと光源ランプ４との間に偏光反射板５を介在させることにより、同様の投影光を出射することができる。
【００２０】
【発明の効果】
この発明における請求項１に係るプロジェクションシステムによれば、直線偏光した投射光を照射するプロジェクターと、プロジェクターからの直線偏光を反射し、その直線偏光と異なる特定方向の直線偏光を吸収する偏光スクリーンと、偏光スクリーンに吸収される特定方向の直線偏光を放射する直線偏光照明装置とを備え、直線偏光照明装置は、ランプと、このランプに対向する面に１／４λ板が設置されたランプリフレクターと、ランプを覆うランプカバーと、このランプカバーの外側に設けられ偏光スクリーンに吸収される特定方向の直線偏光のみを透過させる反射偏光板とを備えたものであり、室内照明を明るくしても黒浮現象が有効に防止でき、スクリーンのコントラストを高く保つことができるという利点がある。
【００２１】
また、直線偏光照明装置においては、偏光スクリーンに吸収されない直線偏光成分が反射偏光板で吸収されることなく反射され、反射偏光板で反射された光は１／４λ板を通過してランプリフレクターで反射されて有効利用でき、求められる方向の直線偏光成分を照明光として効率よく取り出すことができるという利点がある。
【図面の簡単な説明】
【図１】  この発明の実施の形態に係るプロジェクションシステムを示す斜視図である。
【図２】  同プロジェクションシステムにおける偏光プロジェクターの概略図である。
【図３】  プロジェクションシステムにおける直線偏光照明装置の各断面図である。
【符号の説明】
１  偏光プロジェクター、２  偏光スクリーン、３  直線偏光照明装置、８  蛍光ランプ、１１  ランプカバー、１２  反射偏光板、１４Ｘ，１４Ｙ  直線偏光。
【図１】
0003795389.tif 000002
【図２】
0003795389.tif 000003
【図３】
0003795389.tif 000004